(57)【要約】【課題】患者がベッドから降りたこと等を確実に検出できる離床検出装置を提案すること。【解決手段】離床検出装置１は、パネル式圧力センサ２と、設定スイッチ３と、パネル式圧力センサ２から出力される接点信号および設定スイッチ３の設定内容に基づき、離床警報信号Ｓを発生させるか否かを制御する制御回路４とを有している。パネル式圧力センサ２の検出面２７は、相互に独立して接点信号を発生する複数の分割検出面２８に区画されている。設定スイッチ３は、分割検出面２８のそれぞれを、報知必要領域と報知不要領域に設定する。制御回路４は、設定スイッチ３によって報知必要領域に設定されている分割検出面２８からの接点信号が所定の状態に切り替わると、離床警報信号Ｓを発生させる。【選択図】図２
2014104108.tif 000002
【特許請求の範囲】
【請求項１】
圧力が加わるとオフからオンに切り替わる接点が平面方向に所定の間隔およびパターンで配列されている検出面を備えたパネル式圧力センサと、
設定スイッチと、
前記パネル式圧力センサから出力される接点信号および前記設定スイッチによる設定内容に基づき、離床警報信号を発生させるか否かを制御する制御回路と、
を有し、
前記パネル式圧力センサの前記検出面は、相互に独立して前記接点信号を発生する複数の分割検出面に区画されており、
前記設定スイッチは、前記分割検出面のそれぞれを、報知必要領域と報知不要領域に設定するものであり、
前記制御回路は、前記設定スイッチによって前記報知必要領域に設定されている前記分割検出面からの前記接点信号が所定の状態に切り替わると、前記離床警報信号を発生させることを特徴とする離床検出装置。
【請求項２】
前記パネル式圧力センサは、
複数の前記接点を含む回路パターンが導電インクによって印刷されたシートと、
各接点に対応する部位が開口部となっている絶縁シートと、
前記シートの前記回路パターンが印刷されている面に対して、前記絶縁シートを挟んで、積層された導電性シートと、
を備え、
前記回路パターンは、前記分割検出面のそれぞれに対応して複数の分割回路パターンに区画されており、
前記分割回路パターンのそれぞれから前記接点信号が出力される請求項１に記載の離床検出装置。
【請求項３】
前記パネル式圧力センサは、ベッドが設置されている床面に敷くマットセンサであり、
前記制御回路は、前記設定スイッチによって前記報知必要領域に設定されている前記分割検出面から出力される前記接点信号がオフ状態からオン状態に切り替わると、前記離床警報信号を発生させる請求項２に記載の離床検出装置。
【請求項４】
前記制御回路は、前記離床警報信号を発生した後は、前記報知必要領域および前記報知不要領域に設定されている前記分割検出面のそれぞれから出力される前記接点信号の全てがオフ状態に切り替わるまでは、前記離床警報信号を発生させない制御を行う請求項３に記載の離床検出装置。
【請求項５】
請求項１ないし４のうちのいずれか一つの項に記載の離床検出装置の使用方法であって、
前記パネル式圧力センサを、ベッド横の床面に設置し、
複数の前記分割検出面を、前記ベッドに近い側の第１分割検出面と、前記ベッドから離れている第２分割検出面とに分け、
前記第１分割検出面を前記報知必要領域に設定し、前記第２分割検出面を前記報知不要領域に設定することを特徴とする離床検出装置の使用方法。
【請求項６】
前記パネル式圧力センサは、
前記分割検出面のそれぞれに対応するように電気的に分離している複数枚の分割導電性シートと、
各接点に対応する部位が開口部となっている絶縁シートと、
複数枚の前記分割導電性シートに対して、前記絶縁シートを挟み、積層された導電性シートと、
を備え、
前記分割導電性シートのそれぞれから前記接点信号が出力される請求項１に記載の離床検出装置。
【請求項７】
前記分割導電性シートおよび導電性シートは導電布である請求項６に記載の離床検出装置。
【請求項８】
前記パネル式圧力センサは、ベッドに敷くベッドセンサであり、
前記制御回路は、前記設定スイッチによって前記報知必要領域に設定されている前記分割検出面から出力される前記接点信号がオン状態からオフ状態に切り替わると、前記離床警報信号を発生させる請求項１、６または７に記載の離床検出装置。
【請求項９】
前記制御回路は、前記離床警報信号を発生した後は、オフ状態の前記設定信号がオン状態に切り替わるまでは、前記離床警報信号を発生させない制御を行う請求項８に記載の離床検出装置。
【請求項１０】
請求項６ないし９のうちのいずれか一つの項に記載の離床検出装置の使用方法であって、
ベッドから監視対象者が起き上がった時点で前記離床検出信号として第１離床検出信号を発生させる場合には、前記設定スイッチによって、前記パネル式圧力センサにおける複数の前記分割検出面のうち、前記監視対象者の肩から肩甲骨の部分が当る前記分割検出面を前記報知必要領域に設定し、それ以外を前記報知不要領域に設定し、前記制御回路によって、前記報知必要領域のそれぞれから出力される前記接点信号の全てがオン状態からオフ状態に切り替わると、前記第１離床検出信号を発生させるようにし、
前記ベッドから前記監視対象者が離れた時点で前記離床検出信号として第２離床検出信号を発生させる場合には、前記設定スイッチによって、複数の前記分割検出面の全てを前記報知必要領域に設定し、前記制御回路によって、前記報知必要領域のそれぞれから出力される前記接点信号の全てがオン状態からオフ状態に切り替わると、前記第２離床検出信号を発生させるようにすることを特徴とする離床検出装置の使用方法。
【発明の詳細な説明】
【技術分野】
【０００１】
本発明はパネル式圧力センサを用いた離床検出装置に関する。更に詳しくは、本発明は、ベッド横等の床面に敷いたパネル式圧力センサを用いて、看護師などの監視者を検知することなく、患者等の監視対象者の離床を精度良く検出できる離床検出装置およびその使用方法に関する。また、ベッドに敷いたパネル式圧力センサを用いて、監視対象者が起き上がった状態およびベッドから降りた状態を検出できる離床検出装置およびその使用方法に関する。
【背景技術】
【０００２】
病院、介護施設等においては、患者、要介護者の安全管理のために、看護師、介護者などの監視者が患者等の監視対象者の行動を把握する必要がある。このために、ベッド横、部屋の出入り口等の床面に、パネル式圧力センサからなるマットセンサを設置している。監視対象者が離床してマットセンサを踏むと、当該マットセンサがオンして、ナースコールシステム、専用無線回線等の回線を介して、ナースステーション等に警報が発せられる。これにより、監視対象者が徘徊して怪我をするなどの危険を未然に防止できる。特許文献１には、ベッド横に敷いた離床センサを用いて、患者がベッドから降りたことを検出するナースコールシステムが提案されている。
【０００３】
ここで、ベッド横、部屋の入口等に敷いたマットセンサでは、離床を報知するタイミングが遅い場合がある。例えば、ナースステーション等から離れた病室等においては、離床した旨の警報が発生した後に、看護師が病室に行くまでの間に、患者が部屋から出てしまう可能性がある。そこで、ベッドに敷くタイプのパネル式圧力センサが、ベッドセンサとして利用されている。特許文献２には、ベッド上に居る人が離床したことを検出する離床センサをベッド上に設置した構成の徘徊検出システムが提案されている。
【０００４】
なお、パネル式圧力センサとしては、絶縁シートを挟み導電性シートが積層された構成の接点式のメンブレンセンサ、絶縁シートを挟み対向電極を対峙させた構成の静電容量式のセンサ等が知られている。
【先行技術文献】
【特許文献】
【０００５】
【特許文献１】特開２０１１−１５６０９９号公報
【特許文献２】特開２０１０−２７３９３９号公報
【発明の概要】
【発明が解決しようとする課題】
【０００６】
従来におけるパネル式圧力センサを用いた離床検出装置では、次のような解決すべき課題がある。
【０００７】
まず、マットセンサとして用いる場合には、患者等の監視対象者および看護師等の監視者のいずれがマットセンサを踏んだのかを判別ができない。このため、看護師、介護者等がマットセンサを踏むことによる誤報が多発することがある。また、誤報が発生しないようにするためには、看護師等がマットセンサを踏まないように常に注意する必要があり、本来の作業に支障をきたすおそれがある。さらに、面会者等が入室する場合には、例えばマットセンサを無効するなどの操作が必要になってしまう。
【０００８】
次に、ベッドセンサとして用いる場合には、ベッドセンサによって、患者等の監視対象者がベッドから起き上がった状態とベッドから降りた状態を判別できない。例えば、ベッドセンサを患者等の肩等の下に配置すると患者等が起き上がった状態を検出でき、ベッドセンサを患者等の臀部等の下に配置すると患者等がベッドから降りた状態を検出できる。しかし、ベッドセンサの位置を変えることなく、簡単な操作により、患者等が起き上がった状態およびベッドから降りた状態を判別できない。また、ベッドセンサの位置を変更する場合には、起き上がり状態を検出できる位置にマットセンサを置くとベッドから降りたことを検出できず、ベッドから降りたことを検出できる位置にマットセンサを置くと起き上がり状態を検出できない。
【０００９】
本発明の課題は、パネル式圧力センサを用いて、監視対象者がベッドから降りたことを精度良く検出可能な離床検出装置を提案することにある。
【００１０】
また、本発明の課題は、パネル式圧力センサを用いて、監視対象者がベッドから起き上がった状態とベッドから降りた状態を判別できる離床検出装置を提案することにある。
【課題を解決するための手段】
【００１１】
上記の課題を解決するために、本発明の離床検出装置は、圧力が加わるとオフからオンに切り替わる接点が平面方向に所定の間隔およびパターンで配列されている検出面を備えたパネル式圧力センサと、設定スイッチと、前記パネル式圧力センサから出力される接点信号および前記設定スイッチによる設定内容に基づき、離床警報信号を発生させるか否かを制御する制御回路とを有している。前記パネル式圧力センサの前記検出面は、相互に独立して前記接点信号を発生する複数の分割検出面に区画されている。前記設定スイッチは、前記分割検出面のそれぞれを、報知必要領域と報知不要領域に設定するものである。前記制御回路は、前記設定スイッチによって前記報知必要領域に設定されている前記分割検出面からの前記接点信号が所定の状態に切り替わると、前記離床警報信号を発生させる制御を行う。
【００１２】
パネル式圧力センサの検出面は複数の分割検出面を備えている。各分割検出面は、設定スイッチによって報知必要領域および報知不要領域のいずれかに設定される。制御回路は、報知必要領域に設定された分割検出面からの接点信号を有効とみなし、この接点信号の状態に応じて、離床警報信号の発生を制御する。
【００１３】
例えば、パネル式圧力センサをマットセンサとして用いる場合には、当該マットセンサをベッド横に敷き、ベッドから降りる患者等の監視対象者によって踏まれるベッド側の位置にある分割検出面を報知必要領域に設定し、それ以外の領域を報知不要領域に設定する。これにより、看護師等の監視者が報知必要領域を誤って踏んでしまう確率を大幅に低減でき、高い確率で、患者がベッドから降りた場合に離床警報信号を発生させることができる。
【００１４】
また、パネル式圧力センサをベッドセンサとして用いる場合において、ベッドから監視対象者が起き上がった時点で前記離床検出信号を発生させたい場合には、設定スイッチによって、監視対象者の肩から肩甲骨の部分の下に位置する分割検出面を報知必要領域に設定し、それ以外を報知不要領域に設定する。また、制御回路によって、報知必要領域のそれぞれから出力される接点信号の全てがオン状態からオフ状態に切り替わると、離床検出信号を発生させるようにする。
【００１５】
また、ベッドから監視対象者が離れた時点で離床検出信号を発生させたい場合には、設定スイッチによって、複数の分割検出面の全てを報知必要領域に設定する。制御回路によって、報知必要領域のそれぞれから出力される接点信号の全てがオン状態からオフ状態に切り替わると、離床検出信号を発生させるようにする。
【００１６】
このように、設定スイッチにより設定を切り替えることで、ベッドから患者等が起き上がった状態とベッドから患者等が降りた状態を選択的に検出できる。
【００１７】
勿論、双方の状態を検出することも可能である。この場合には、例えば、患者等の肩部分等の下に位置する分割検出面を第１報知必要領域に設定し、全ての分割検出面を第２報知必要領域に設定しておく。制御回路は、第１報知必要領域に設定した分割検出面から出力される接点信号の全てがオンからオフに切り替わった時点で、患者等がベッドから起き上がったと判断する。また、第２報知必要領域に設定された分割検出面からの接点信号がオンからオフに切り替わった時点、すなわち、全ての分割検出面からの接点信号がオンからオフに切り替わった時点で患者等がベッドから降りたと判断する。
【００１８】
ここで、マットセンサとして用いるのに適したパネル式圧力センサは、複数の前記接点を含む回路パターンが導電インクによって印刷されたシートと、各接点に対応する部位が開口部となっている絶縁シートと、前記シートの前記回路パターンが印刷されている面に対して、前記絶縁シートを挟んで、積層された導電性シートとを備えている。この場合には、前記回路パターンは、前記分割検出面のそれぞれに対応して複数の分割回路パターンに区画され、前記分割回路パターンのそれぞれから前記接点信号が出力される。
【００１９】
また、ベッドセンサとして用いるのに適したパネル式圧力センサは、前記分割検出面のそれぞれに対応するように電気的に分離している複数枚の分割導電性シートと、各接点に対応する部位が開口部となっている絶縁シートと、複数枚の前記分割導電性シートに対して、前記絶縁シートを挟み、積層された導電性シートとを備えている。この場合には、分割導電性シートのそれぞれから前記接点信号が出力される。
【００２０】
また、ベッドセンサとして用いる場合には、前記分割導電性シートおよび前記導電性シートは導電布であることが望ましい。導電布を備えたベッドセンサは、全体として柔軟性があり、ベッドのシーツの下に敷いた場合にも、患者等が違和感を覚えることがない。また、患者等が動いた場合等に、不快な擦れ音等が発生することがない。さらに、耐久性も十分である。
【００２１】
なお、離床警報信号が不必要に繰り返し発生することがないようにするために、前記制御回路は、前記離床警報信号を発生した後は、オン状態の前記接点信号がオフ状態に切り替わるまでは、前記離床警報信号を発生させない制御を行うことが望ましい。
【図面の簡単な説明】
【００２２】
【図１】本発明を適用した実施の形態１に係る離床検出装置を示す概略構成図である。
【図２】図１の離床検出装置の検出面（回路パターン）を示す説明図である。
【図３】図１の離床検出装置の使用例を示す説明図である。
【図４】図１の離床検出装置の動作を示す概略フローチャートである。
【図５】本発明を適用した実施の形態２に係る離床検出装置を示す概略構成図である。
【図６】図５の離床検出装置の検出面を示す説明図である。
【図７】図５の離床検出装置の使用例を示す説明図である。
【図８】図５の離床検出装置の動作を示す概略フローチャートである。
【発明を実施するための形態】
【００２３】
以下に、図面を参照して、本発明を適用した離床検出装置の実施の形態を説明する。
【００２４】
（実施の形態１）
図１は、パネル式圧力センサをマットセンサとして用いた場合の離床検出装置を示す概略構成図である。図においては、パネル式圧力センサの主要部分を分解した状態で示してある。図２は、パネル式圧力センサ２の非導電性シートの表面に印刷されている回路パターンを示す説明図である。
【００２５】
離床検出装置１は、マットセンサとして用いるパネル式圧力センサ２、設定スイッチ３、および、制御回路４を備えている。パネル式圧力センサ２は、圧力が加わるとオフからオンに切り替わる多数の接点が平面方向に所定の間隔およびパターンで配列されている検出面を備えており、基本構成は一般的に知られているものである。
【００２６】
パネル式圧力センサ２は例えば長方形のものであり、複数の接点を含む回路パターン２１が導電インクによって印刷された非導電性シート２２、各接点に対応する部位が円形開口部２３ａとなっている絶縁シート２３、および、非導電性シート２２の回路パターン２１が印刷されている面に対して、絶縁シート２３を挟んで、積層された導電性シート２４を備えている。この積層体が、樹脂製の表面保護シート２５および樹脂製の裏面保護シート２６によって両側から密封されている。
【００２７】
非導電性シート２２において、当該非導電性シート２２よりも一回り小さな矩形の領域が、図２において一点鎖線で示すように、検出面２７とされている。検出面２７は、シート裏面２２ａに、導電インクによって印刷されている多数の接点を含む回路パターン２１によって規定されている。
【００２８】
ここで、検出面２７は、縦横に複数に分割されて、同一大きさの矩形の複数の分割検出面２８（ｍ，ｎ）とされている（ｍおよびｎは正の整数であり、一方は、２以上の整数である。）。図示の例では１２の分割検出面２８（１，１）〜２８（３，４）が形成されている（以下の説明においては、これらの分割検出面を分割検出面２８と呼ぶ場合がある。）。回路パターン２１は、分割検出面２８のそれぞれに対応して、複数の分割回路パターン２１（ｍ，ｎ）に区画されている。
【００２９】
各分割回路パターン２１（ｍ，ｎ）は同一構成であり、複数の接点のそれぞれから延びる配線群２１ａと、配線群２１ａが接続されている端子部２１ｂと、端子部２１ｂから制御回路４に向けて引き出されている配線部２１ｃを備えている。各接点は、絶縁シート２３の円形開口部２３ａを介して裏面側の導電性シート２４に対して狭い間隔で対峙している。表面保護シート２５の上から検出面２７に対応する部位が踏まれると、踏まれた位置を含む分割検出面２８の接点が裏面側の導電性シート２４に電気的に接触して接点がオンとなる。踏まれた位置を含む分割検出面２８の端子部２１ｂから制御回路４に供給される接点信号が、オフからオンの状態に切り替わる。制御回路４は、接点信号の状態から、いずれの分割検出面２８が踏まれたのかを判別できる。
【００３０】
ここで、設定スイッチ３は、各分割検出面２８を「報知する領域」（報知必要領域）および「報知しない領域」（報知不要領域）のいずれかに設定するために用いられる。制御回路４は、「報知する領域」に設定された分割検出面２８からの接点信号がオフからオン状態に切り替わると、離床警報信号Ｓを発生させる。離床警報信号Ｓは有線あるいは無線回線を介して、ナースステーション等に設置されている警報器を駆動させる。あるいは、担当看護師などの監視者が所持している携帯端末を駆動して、警報を発生させる。
【００３１】
図３は離床検出装置１の使用例を示す説明図であり、離床検出装置１は、患者Ｐがベッド１０１から降りたことを検出すると離床警報信号Ｓを発信する。この場合には、離床検出装置１のパネル式圧力センサ２はベッド１０１の横の床面に設置される。
【００３２】
パネル式圧力センサ２の分割検出面２８は、設定スイッチ３によって、例えば次のように設定される。ベッド１０１に近い側の３枚の分割検出面２８（３，２）、２８（３，３）、２８（３，４）は「報知する領域」（第１分割検出面）に設定され、ベッド１０１から離れている残りの分割検出面２８（１，１）〜２８（３，１）は「報知しない領域」（第２分割検出面）に設定される。
【００３３】
図４は、制御回路４によって行われる離床検出装置１の動作を示す概略フローチャートである。制御回路４は一定のサンプリング周期で、各分割検出面２８の接点信号の状態をモニターしている（ステップＳＴ１）。オン状態に切り替わった接点信号が検出されると、その分割検出面２８が「報知する領域」であるか否かを判別する（ステップＳＴ２、ＳＴ３）。
【００３４】
患者Ｐがベッド１０１から降りて、パネル式圧力センサ２の検出面２７を踏むと、踏まれた部分の分割検出面２８の接点がオンに切り替わり、接点信号がオフからオンに変わる。ベッド１０１から降りた患者の足が踏み付ける領域を包含するように、「報知する領域」が設定されている。「報知する領域」に設定されている分割検出面２８からの接点信号がオン状態になったことが検出されると、制御回路４は離床警報信号Ｓを発生させる（ステップＳＴ３、ＳＴ５）。
【００３５】
看護師等の通常の動線上に位置している分割検出面２８（１，１）〜２８（３，１）は「報知しない領域」に設定されている。したがって、看護師等がパネル式圧力センサ２を踏みつけても、殆どの場合において離床警報信号Ｓが出力されることはない。よって、「報知する領域」および「報知しない領域」を、実際の状態に応じて適切に設定しておくことで、実用上支障のない高い確率で、患者Ｐがベッド１０１から降りたことを検出して、離床警報信号Ｓを出力することができる。
【００３６】
ここで、患者Ｐがベッド１０１から降りて、例えば、分割検出面２８（３，３）からの接点信号がオフからオン状態に切り替わり、離床警報信号Ｓが出力されたものとする。この場合、続いて、患者Ｐが隣接する分割検出面、例えば分割検出面２８（３，４）を他方の足で踏む場合などがある。このような場合に繰り返し離床警報信号Ｓを出力する必要はない。
【００３７】
したがって、一つの「報知する領域」を患者Ｐが踏みつけて、離床警報信号Ｓが出力された後は、当該「報知する領域」の踏みつけ状態が解除されるまでは、離床警報信号Ｓを発生させないようにする。すなわち、前回においてオン状態になった「報知する領域」がオフにまるまでは、他の「報知する領域」がオンになっても離床警報信号Ｓを発生させないようにすればよい。
【００３８】
また、看護師等が患者を介護する場合に、「報知しない領域」および「報知する領域」を踏む可能性がある。このような場合に、離床警報信号Ｓが誤って発生することを防止する必要がある。このためには、「報知しない領域」がオンされた場合は、一度、全領域（「報知する領域」および「報知しない領域」の双方）がオフにならないと、「報知する領域」をオンしても、離床警報信号Ｓを発生させないようにすればよい。
【００３９】
これら双方の場合を想定して、本例では、「報知しない領域」がオンされた場合は、一度、全領域（「報知する領域」および「報知しない領域」の双方）がオフにならないと、「報知する領域」をオンしても、離床警報信号Ｓを発生させないようにしている（ステップＳＴ４）。
【００４０】
なお、本例は、パネル式圧力センサ２をベッド横に設置した場合である。これ以外の場所にパネル式圧力センサ２を設置することも可能である。そのような場合においても、患者の動線、看護師などの作業動線等を考慮して、適切に「報知する領域」と「報知しない領域」を設定スイッチ３によって設定しておけばよい。設定スイッチ３によって設定を変えることができるので、各場所において最も適した設定となるように、各分割検出面の設定を簡単に切り替えることができる。
【００４１】
（実施の形態２）
図５は、パネル式圧力センサをベッドセンサとして用いた場合の離床検出装置を示す概略構成図である。図においては、パネル式圧力センサの主要部分を分解した状態で示してある。図６は、パネル式圧力センサの検出面を示す説明図である。
【００４２】
離床検出装置６は、ベッドセンサとして用いるパネル式圧力センサ７、設定スイッチ８、および、制御回路９を備えている。パネル式圧力センサ７は、圧力が加わるとオフからオンに切り替わる多数の接点が平面方向に所定の間隔およびパターンで配列されている検出面を備えている。
【００４３】
パネル式圧力センサ７は例えば長方形のものであり、平面状に配列した複数枚の分割導電性シート７２（１）〜７２（５）と、各接点に対応する部位が円形開口部７３ａとなっている絶縁シート７３と、複数枚の分割導電性シート７２に対して、絶縁シート７３を挟み、積層された第２導電性シート７４とを備えている。この構成の積層体が、樹脂製の表面保護シート７５および樹脂製の裏面保護シート７６によって両側から密封されている。
【００４４】
分割導電性シート７２（１）〜７２（５）（以下、これらを分割導電性シート７２と呼ぶ場合もある。）は、例えば、一枚の長方形の導電性シートを切断することによって形成したものであり、分割導電性シート７２は相互に電気的に分離した状態で配置されている。図示の例では、細長い長方形をした４枚の分割導電性シート７２（１）〜７２（４）と、広幅の１枚の分割導電性シート７２（５）を備えている。勿論、分割導電性シートの枚数、形状等は本例に限定されるものではない。例えば、図２に示す実施の形態１の場合のように、格子状に配列することができる。
【００４５】
分割導電性シート７２は導電布から形成されており、裏面側の導電性シート７４も導電布から形成されている。絶縁シート７３の各円形開口部７３ａと、これを挟み、相互に対峙している分割導電性シート７２および導電性シート７４の対峙部分とによって、各接点が構成されている。
【００４６】
分割導電性シート７２（１）〜７２（５）には、それぞれ、端子部７２ａが配置されている。端子部７２ａのそれぞれから引き出されている配線部７２ｂを介して、各分割導電性シート７２（１）〜７２（５）から接点信号が制御回路９に出力される。分割導電性シート７２（１）〜７２（５）の輪郭が検出面７７を規定しており、各分割導電性シートの表面が各分割検出面７８（１）〜７８（５）（以下、これらを分割検出面７８と呼ぶ場合もある。）を規定している。
【００４７】
パネル式圧力センサ７においては、その表面保護シート７５の上から検出面７７に対応する部位に圧力（荷重）が掛かっていると、当該部位が含まれている分割検出面７８の接点がオン状態になる。この分割検出面７８の端子部７２ａから制御回路４に供給される接点信号はオン状態になる。逆に、圧力が解除されると、当該分割検出面７８の接点がオフ状態になり、接点信号はオフ状態になる。制御回路９は、接点信号の状態から、いずれの分割検出面７８に圧力が掛かっているのか、逆に言えば、いずれの分割検出面７８から圧力が解除されたのかを判別できる。
【００４８】
ここで、設定スイッチ８は、各分割検出面７８を「離れたら報知する領域」（報知必要領域）および「離れても報知しない領域」（報知不要領域）のいずれかに設定するために用いられる。制御回路９は、以下に説明するように、「離れたら報知する領域」に設定された分割検出面７８からの接点信号の状態が切り替わると、離床警報信号Ｓとして第１離床警報信号Ｓ１、第２離床警報信号Ｓ２を発生する。離床警報信号Ｓ（Ｓ１、Ｓ２）は有線あるいは無線回線を介して、ナースステーション等に設置されている警報器を駆動させる。あるいは、担当看護師などの監視者が所持している携帯端末を駆動して、警報を発生させる。
【００４９】
図７は離床検出装置６の使用例を示す説明図である。離床検出装置６は、患者Ｐがベッド１０１から起き上がったことを検出すると第１離床警報信号Ｓ１を発信する第１モード、患者Ｐがベッド１０１から降りたことを検出すると第２離床警報信号Ｓ２を発信する第２モードと、これらの双方を検出してそれぞれ第１、第２離床警報信号Ｓ１、Ｓ２を発信する第３モードで動作可能である。この場合には、離床検出装置６のパネル式圧力センサ７はベッドセンサとして、ベッド１０１のシーツの下等に敷いて用いる。
【００５０】
（第１モード）
ベッド１０１から患者Ｐが起き上がった時点で第１離床検出信号Ｓ１を発生させるために、設定スイッチ８によって、パネル式圧力センサ７における複数の分割検出面７８を次のように設定する。図７に示すように、患者Ｐの肩から肩甲骨までの部分の下に位置する分割検出面、例えば、分割検出面７８（１）〜７８（３）を「離れたら報知する領域」に設定する。それ以外の分割検出面７８（４）、７８（５）は、「離れても報知しない領域」に設定する。
【００５１】
制御回路９は、「離れたら報知する領域」に設定された分割検出面７８（１）〜７８（３）のそれぞれから出力される接点信号の全てがオン状態からオフ状態に切り替わると、第１離床検出信号Ｓ１を発生する。これにより、寝返りなどの荷重移動の影響を受けることなく、確実に、患者Ｐが起き上がったことを検出することができる。また、患者Ｐの体形等に応じて、各領域を適切に設定すればよいので、パネル式圧力センサ７の位置を変える等の調整も不要である。
【００５２】
（第２モード）
ベッド１０１から患者Ｐが降りた時点（離れた時点）で第２離床検出信号Ｓ２を発生させるために、設定スイッチ８によって、パネル式圧力センサ７の複数の分割検出面７８の全てを「離れたら報知する領域」に設定する。
【００５３】
制御回路９は、全ての分割検出面７８から出力される接点信号がオン状態からオフ状態に切り替わると、第２離床検出信号Ｓ２を発生する。これにより、寝返り、一時的な起き上がり等に伴う荷重移動の影響を受けることなく、確実に、患者Ｐがベッド１０１から降りたことを検出できる。
【００５４】
（第３モード）
患者Ｐがベッド１０１から起き上がった状態およびベッド１０１から降りた状態の双方を検出して、其々の時点で第１、第２離床警報信号Ｓ１、Ｓ２を発生させる場合には、例えば、次のように設定する。起き上がりを検出するために、分割検出面７８（１）〜７８（３）を「離れたら報知する第１領域」（第１報知必要領域）に設定する。また、全ての分割検出面７８を「離れたら報知する第２領域」（第２報知必要領域）に設定する。
【００５５】
図８は、制御回路９によって行われる離床検出装置１の第３モードによる検出動作を示す概略フローチャートである。制御回路９は一定のサンプリング周期で、各分割検出面７８の接点信号の状態をモニターしている（ステップＳＴ１１）。
【００５６】
患者Ｐがベッド１０１から起き上がると、パネル式圧力センサ７における患者Ｐの肩周辺の下に位置している分割検出面７８（１）〜７８（３）の圧力（荷重）が解除される。これにより、これらの分割検出面７８（１）〜７８（３）からの接点信号がオンからオフの状態に切り替わる。
【００５７】
制御回路９は、「離れたら報知する第１領域」に設定されている分割検出面７８（１）〜７８（３）の全ての接点信号がオンからオフに切り替わると（ステップＳＴ１２）、起き上がったことを報知する第１離床警報信号Ｓ１を発生させる（ステップＳＴ１４）。これにより、看護師等は患者Ｐがベッド１０１を離れようとしていることを事前に知ることができる。
【００５８】
次に、患者Ｐがベッド１０１から起き上がって、ベッド１０１から降りると、全ての分割検出面７８に掛かっていた圧力が解除され、それらの接点信号がオンからオフ状態に変わる。したがって、制御回路９は、「離れたら報知する第２領域」に設定されている分割検出面、本例では、全ての分割検出面７８の接点信号がオンからオフの状態に切り替わった場合には（ステップＳＴ１３）、患者Ｐがベッド１０１から降りたと判断して、第２離床警報信号Ｓ２を発生させる（ステップＳＴ１５）。
【００５９】
ここで、幼児等の場合には、「離れたら報知する第１領域」として設定する分割検出面７８の位置を、身長等の体型に合わせて適切に設定すればよい。また、全ての分割検出面７８を「離れたら報知する第２領域」に設定する必要はなく、幼児等の体の下になる分割検出面のみを当該領域に設定しておけばよい。
【００６０】
また、第１の実施の形態の場合と同様に、一旦、離床警報信号Ｓ１、Ｓ２が発生した後は、当該離床警報信号Ｓ１、Ｓ２が繰り返し発生されないように、オフに切り替わった分割検出面の接点信号が再びオンに戻るまでは、信号を発生させないようにすることが望ましい。
【符号の説明】
【００６１】
１    離床検出装置
２    パネル式圧力センサ
３    設定スイッチ
４    制御回路
６    離床検出装置
７    パネル式圧力センサ
８    設定スイッチ
９    制御回路
２１  回路パターン
２２  非導電性シート
２３  絶縁シート
２４  導電性シート
２５  表面保護シート
２６  裏面保護シート
２７  検出面
２８  分割検出面
７１  導電性シート
７２  分割導電性シート
７３  絶縁シート
７４  導電性シート
７５  表面保護シート
７６  裏面保護シート
７７  検出面
７８  分割検出面
Ｓ    離床警報信号
Ｓ１  第１離床警報信号
Ｓ２  第２離床警報信号
【図２】
2014104108.tif 000003
【図３】
2014104108.tif 000004
【図４】
2014104108.tif 000005
【図６】
2014104108.tif 000006
【図７】
2014104108.tif 000007
【図８】
2014104108.tif 000008
【図１】
2014104108.tif 000009
【図５】
2014104108.tif 000010